(57)【特許請求の範囲】
【請求項１】
容器本体内の薬剤を揮散する為の揮散孔を備えた揮散面が起立して配置されるとともに、該揮散面が使用時に剥離される非透過性のシートで覆われ、前記シートと前記揮散面との間に間隙が形成される薬剤揮散器において、
前記揮散面を起立して配置した状態で前記揮散孔が設けられた領域より下方側に位置する前記揮散面の部位に、前記シートを剥離する前に、前記揮散面の外側で結露し、前記シートに沿って下方に流れた後、下側部に貯留された前記薬剤を前記容器本体内に戻すための戻し穴を貫通して設けたことを特徴とする薬剤揮散器。
【請求項２】
前記容器本体を円筒容器状に形成し、該容器本体に形成された円形状の端面に前記揮散面を設定する一方、
前記戻し穴を、前記揮散面の周縁に沿って配置された複数の穴で構成したことを特徴とする請求項１記載の薬剤揮散器。
【請求項３】
前記揮散面が起立した状態で前記容器本体を支持するケーシングを備え、
該ケーシングに前記容器本体を支持した状態で前記揮散面に設けられた前記揮散孔を露出させる開口部を前記ケーシングの一面に開設する一方、前記開口部の開口範囲を、前記戻し穴を構成する前記各穴より中心側に設定したことを特徴とする請求項２記載の薬剤揮散器。
【発明の詳細な説明】
【技術分野】
【０００１】
本発明は、芳香剤等の薬剤を揮散する薬剤揮散器に関する。
【背景技術】
【０００２】
従来、消臭剤、芳香剤、防虫剤、殺虫剤等の薬剤を揮散する装置として薬剤揮散器が知られている。
【０００３】
この薬剤揮散器の容器本体の前面には、揮散孔が開設されており、該揮散孔から薬剤を揮散できるように構成されている。
【０００４】
このような薬剤揮散器においては、前記揮散孔が設けられた揮散面を起立して配置するものが知られており、前記揮散孔から揮散した薬剤を前方へ拡散できるよう構成されている。
【０００５】
この薬剤揮散器は、前記容器本体の前記揮散面がアルミシート等の非透過性シートで覆われており、保管時や販売時において前記薬剤の不用意な揮散を防止できるように構成されている。
【発明の開示】
【発明が解決しようとする課題】
【０００６】
しかしながら、このような従来の薬剤揮散器にあっては、保管時や輸送時に生ずるヒートサイクルによって揮散孔から揮散した薬剤がアルミシートに結露する場合があり、この結露した薬剤は、縦置きにされた前記容器本体の下側部に貯留される。
【０００７】
すると、使用時にユーザーが容器本体から前記アルミシートを剥離する際に、結露した薬剤が外部に跳ねることがあった。
【０００８】
本発明は、このような従来の課題に鑑みてなされたものであり、使用時に生じ得る不具合を防止することができる薬剤揮散器を提供することを目的とするものである。
【課題を解決するための手段】
【０００９】
前記課題を解決するために本発明の請求項１の薬剤揮散器にあっては、容器本体内の薬剤を揮散する為の揮散孔を備えた揮散面が起立して配置されるとともに、該揮散面が使用時に剥離される非透過性のシートで覆われ、前記シートと前記揮散面との間に間隙が形成される薬剤揮散器において、前記揮散面を起立して配置した状態で前記揮散孔が設けられた領域より下方側に位置する前記揮散面の部位に、前記シートを剥離する前に、前記揮散面の外側で結露し、前記シートに沿って下方に流れた後、下側部に貯留された前記薬剤を前記容器本体内に戻すための戻し穴を貫通して設けた。
【００１０】
すなわち、保管時や輸送時に生ずるヒートサイクルによって、揮散面の揮散孔より揮散した薬剤が前記揮散面を覆うシートで結露した際には、この結露した薬剤は、当該シートに沿って下方へ流れた後、当該容器本体の下側部に貯留される。
【００１１】
このとき、起立して配置される前記揮散面の下部には、該揮散面の外側で結露した前記薬剤を前記容器本体内に戻すための戻し穴が開設されている。このため、結露した前記薬剤は、前記戻し穴を介して容器本体内へ戻される。
【００１２】
また、請求項２の薬剤揮散器においては、前記容器本体を円筒容器状に形成し、該容器本体に形成された円形状の端面に前記揮散面を設定する一方、前記戻し穴を、前記揮散面の周縁に沿って配置された複数の穴で構成した。
【００１３】
すなわち、前記容器本体は円筒容器状に形成されており、該容器本体に形成された円形状の端面に前記揮散面が設定されている。そして、前記戻し穴は、複数の穴で構成されており、各穴は、前記揮散面の周縁に沿って配置されている。
【００１４】
このため、上下位置が定まらない円形の端面に前記揮散面を設定した際に、前記容器本体を、どのように配置した場合であっても、前記揮散面の周縁に沿って配置されたいずれかの穴は、起立した前記揮散面の下部側に配置される。
【００１５】
さらに、請求項３の薬剤揮散器では、前記揮散面が起立した状態で前記容器本体を支持するケーシングを備え、該ケーシングに前記容器本体を支持した状態で前記揮散面に設けられた前記揮散孔を露出させる開口部を前記ケーシングの一面に開設する一方、前記開口部の開口範囲を、前記戻し穴を構成する前記各穴より中心側に設定した。
【００１６】
すなわち、円筒容器状の容器本体は、ケーシングに支持されることによって、揮散面を起立した状態が維持される。
【００１７】
この状態において、前記容器本体の揮散面に設けられた揮散孔は、前記ケーシングの一面に開設された開口部より露出される。
【００１８】
このとき、前記開口部の開口範囲は、前記戻し穴を構成する各穴より中心側に設定されている。このため、前記戻し穴を構成する各穴は、前記開口部の外周部を構成する前記ケーシングの前記一面によって覆われる。
【発明の効果】
【００１９】
以上説明したように本発明の請求項１の薬剤揮散器にあっては、起立して配置される揮散面の下部には、該揮散面の外側で結露した薬剤を容器本体内に戻すための戻し穴が開設されており、前記揮散面を覆うシートで結露した前記薬剤を、前記戻し穴を介して容器本体内へ戻すことができる。
【００２０】
このため、シートで結露した薬剤が、該シートと揮散面との間に貯留される従来のように、シートを容器本体から剥離する際に、結露した薬剤が外部に跳ねるといった使用時に生じ得る不具合を防止することができる。
【００２１】
また、請求項２の薬剤揮散器においては、上下位置が定まらない円形の端面に前記揮散面を設定した際に、当該容器本体を、どのように配置した場合であっても、前記揮散面の周縁に沿って配置されたいずれかの穴を、起立した前記揮散面の下部側に配置することができる。
【００２２】
このため、陳列状態に関わらず、使用時に生じ得る不具合を確実に解消するすることができる。
【００２３】
さらに、請求項３の薬剤揮散器では、円筒容器状の容器本体を、ケーシングに支持することによって、前記揮散面を起立した状態を維持することができ、この状態において、前記容器本体の揮散面に設けられた揮散孔を、前記ケーシングの一面に開設された開口部より露出することができる。
【００２４】
このとき、前記開口部の開口範囲は、前記戻し穴を構成する各穴より中心側に設定されている。このため、前記戻し穴を構成する各穴を、前記開口部の外周部を構成する前記ケーシングの前記一面によって隠蔽することができる。
【００２５】
これにより、外観品質を高めることができる。
【発明を実施するための最良の形態】
【００２６】
以下、本発明の一の実施の形態を図に従って説明する。図１は、本実施の形態にかかる薬剤揮散器１を示す図であり、該薬剤揮散器１は、消臭剤、芳香剤、防虫剤、殺虫剤等の薬剤を揮散する装置である。
【００２７】
この薬剤揮散器１は、図１及び図２に示すように、矩形状のケーシング１１と、該ケーシング１１に上方から収容された容器本体１２とによって構成されている。
【００２８】
前記ケーシング１１は、図３にも示すように、相対向して設けられた正方形状の前壁面２１及び後壁面２２と、両壁面２１，２２を連設する一対の側壁面２３，２３と、各壁面２１，２２，２３，２３を底部にて連設する底面２４とによって上面が開口した容器状に形成されている。前記側壁面２３，２３の高さは、前記前壁面２１及び前記後壁面２２より低く設定されており、両側壁面２３，２３の上部には、前記容器本体１２が露出するように構成されている（図２参照）。
【００２９】
前記前壁面２１の中心部には、円形の前部開口部４１が開設されており、前記後壁面２２の中心部にも、円形の後部開口部４２が開設されている。前記底面２４には、図４にも示すように、横幅方向に延在する支持リブ４３，４３が前記各側壁２３，２３から中心へ向けて延設されており、各支持リブ４３，４３の上縁には、図５にも示すように、前記両開口部４１，４２の中心点Ｃを中心とした円弧状のリブ側円弧部４４，４４が形成されている。また、前記底面２４の四隅には、図４及び図５に示したように、前記容器本体１２を支持する載置部４５，・・・が突設されており、各載置部４５，・・・は、矩形筒状に形成されている。各載置部４５，・・・の上縁には、前記両開口部４１，４２の中心点Ｃを中心とした円弧状の載置部側円弧部４６が形成されている。
【００３０】
これにより、前記各支持リブ４３，４３と前記各載置部４５，・・・で前記容器本体１２の周面を支持できるように構成されており、この支持状態において、前記容器本体１２の前端面が前記前壁面２１に対面するとともに、後端面が前記後壁面２２に対面するように構成されている。
【００３１】
前記容器本体１２は、図１に示したように、容器部５１と、該容器部５１の開口部を閉鎖する蓋部５２とによって構成されている。前記容器部５１は、図６にも示すように、円筒容器状に形成されており、当該容器部５１内には、前記薬剤を揮発可能に吸収した粒状の粒状ゲル５３，・・・が収容されるように構成されている。前記容器部５１は、円形の底部５４と、該底部５４の周縁に起立した円筒状の周壁５５とによって形成されており、前記底部５４には、裏側に膨出した円形の膨出部５６が形成されている。
【００３２】
これにより、当該容器本体１２を、図１及び図２に示したように、前記ケーシング１１に収容して前記支持リブ４３，４３及び前記載置部４５，・・・で支持した状態で、前記膨出部５６が前記後壁面２１に設けられた前記後部開口部４２に挿入され支持されるように構成されており、この状態において、当該容器本体１２を、その回転中心Ｃを軸として回転できるように構成されている。
【００３３】
また、前記底面５４には、図６及び図７に示すように、円筒状の仕切壁６１が立設されており、該仕切壁６１の高さは、前記周壁５５のほぼ半分の高さに設定されている。この仕切壁６１の縁部には、等間隔をおいた三カ所に矩形状の切欠部６２，・・・が設けられており、図６に示したように、当該容器本体１２を立てた状態で、前記粒状ゲル５３，・・・が前記仕切壁６１上に載置されるとともに、当該仕切壁６１より前方の空間及び前記切欠部６２を介して下方の空間にも供給されるように構成されている。
【００３４】
前記周壁５５は、前記底部５４側を構成する小径部７１と、開口側を構成する大径部７２とからなり、該大径部７２と前記小径部７１との間には、前記支持リブ４３，４３によって後壁面２２への移動を阻止する段差部７３が形成されている。また、前記周壁５５の開口部側の縁部には、外方に突出する凸条部７４が延設されており、該凸条部７４の外周部には、基端が連設壁７５を介して前記周壁５５に連設された円筒状の外嵌部７６が設けられている。該外嵌部７６は、前記周壁５５より先端側に突出する長さに設定されており、その先端には、外側へ延出した外方延出部７７と、該外方延出部７７より基端側に延出した折返し部７８とが一体形成されている。
【００３５】
前記蓋部５２は、図８に示すように、前記容器部５１の開口部に適合した円板状に形成されており、該蓋部５２の周縁には、図９に示すように、前記容器部５１の周壁５５先端部に外嵌するフランジ部８１が全周に渡って形成されている。該フランジ部８１には、前記周壁５５に外嵌した状態で、前記凸条部７４を乗り越えて基端側に配置される凸部８２が突設されており、該凸部８２が前記周壁５５の前記凸条部７４と係合することによって、当該蓋部５２の不用意な離脱が防止されるように構成されている。
【００３６】
この蓋部５２には、図８及び図９に示したように、前記容器部５１内に収容された前記粒状ゲル５３，・・・から揮発した前記薬剤を外部に揮散する為の揮散孔９１，・・・が多数設けられており、各揮散孔９１，・・・は、当該蓋部５２の中心点Ｃを中心とした複数の同心円上に延在するスリットによって構成されている。これにより、前記容器部５１に前記蓋部５２が取り付けられて形成される前記容器本体１２の端面には、円形状の前記蓋部５２で構成された揮散面９２が設定されている。
【００３７】
この蓋部５２を前記容器部５１に取り付けた取付状態において、図９に示したように、前記蓋部５２が構成する前記揮散面９２は、使用時に剥離される薬剤非透過性のアルミシート１０１で覆われるように構成されており、該アルミシート１０１は、その周縁部が全周に渡って前記容器部５１の前記外方延出部７７に密着した状態で剥離可能に接着されている。これにより、当該容器本体１２は、前記アルミシート１０１で密閉されており、該アルミシート１０１と前記揮散面９２との間には、外部と遮断された密閉空間１０２が形成されている。
【００３８】
前記各揮散孔９１，・・・の外周部には、図８及び図９に示したように、リング状の一般部１１１が形成されており、該一般部１１１には、当該蓋部５２の周縁に沿って複数の小穴１１２，・・・が等間隔をおいて開設されている。これにより、当該容器本体１２を前記ケーシング１１に収容した状態で、前記揮散面９２が起立して配置されるように構成されており、この起立状態において、下部側に位置する小穴１１２は、前記揮散面９２の外側で結露した前記薬剤を当該容器本体１２内に戻すための戻し穴１１３を構成している。
【００３９】
また、この収容状態において、図１に示したように、前記揮散面９２に設けられた前記揮散孔９１，・・・が、前記ケーシング１１の前記前壁面２１に設けられた前部開口部４１より露出するように構成されており、図５に示したように、この前部開口部４１の開口範囲１２１は、前記戻し穴１１３を構成する前記各小穴１１２より中心Ｃ側に設定されている。
【００４０】
以上の構成にかかる本実施の形態において、保管時や輸送時に生ずるヒートサイクルによって、前記容器本体１２の揮散面９２の揮散孔９１，・・・より揮散した薬剤が前記揮散面９２を覆うアルミシート１０１で結露した場合、この結露した薬剤は、当該アルミシート１０１に沿って下方へ流れた後、当該容器本体１２の下側部に貯留される。
【００４１】
このとき、起立して配置される前記揮散面９２の下部には、該揮散面９２の外側で結露した前記薬剤を前記容器部５１内に戻すための戻し穴１１３が開設されている。このため、結露した前記薬剤を、前記戻し穴１１３を介して前記容器部５１内へ戻すとともに、該容器部５１内の粒状ゲル５３，・・・に再吸収することができる。
【００４２】
このため、前記アルミシート１０１で結露した薬剤が、該アルミシート１０１と前記揮散面９２との間に貯留される従来のように、アルミシート１０１を前記容器本体１２から剥離する際に、結露した薬剤が外部に跳ねるといった使用時に生じ得る不具合を防止することができる。
【００４３】
また、前記容器本体１２は、円筒容器状に形成されており、該容器本体１２の端面を形成する円形状の蓋部５２に前記揮散面９２が設定されている。そして、前記戻し穴１１３は、複数の小穴１１２，・・・で構成されており、各小穴１１２，・・・は、前記揮散面９２の周縁に沿って配置されている。
【００４４】
このため、上下位置が定まらない円形の蓋部５２に前記揮散面９２を設定した際に、前記容器本体１２を、どのような回転位置で配置した場合であっても、前記揮散面９２の周縁に沿って配置されたいずれかの小穴１１２を、起立した前記揮散面９２の下部側に配置することができる。
【００４５】
このため、陳列状態に関わらず、使用時に生じ得る不具合を確実に解消するすることができる。
【００４６】
そして、円筒容器状の前記容器本体１２を、ケーシング１１に支持することによって、前記揮散面９２を起立した状態を維持することができ、この状態において、前記容器本体１２の前記揮散面９２に設けられた前記揮散孔９１，・・・を、前記ケーシング１１の前壁面２１に開設された前部開口部４１より露出することができる。
【００４７】
このとき、前記前部開口部４１の開口範囲１２１は、前記戻し穴１１３を構成する各小穴１１２，・・・より中心Ｃ側に設定されている。このため、前記戻し穴１１３を構成する各小穴１１２を、前記前部開口部４１の外周部を構成する前記ケーシング１１の前記前壁面によって隠蔽することができる。
【００４８】
これにより、前記小穴１１２が露出する場合と比較して、外観品質を高めることができる。
【００４９】
なお、本実施の形態では、薬剤を吸収した粒状ゲル５３，・・・を円筒容器状の容器本体１２に収容した場合を例に挙げて説明したが、これに限定されるものではない。
【００５０】
例えば、矩形状の容器本体に薬剤を収容した場合には、ケーシング１１を用いること無く、当該容器本体を自立させた状態で、揮散孔９１，・・・が設けられた揮散面９２を起立させることができる。
【図面の簡単な説明】
【００５１】
【図１】本発明の一実施の形態を示す斜視図である。
【図２】同実施の形態の側面図である。
【図３】同実施の形態のケーシングを示す断面図である。
【図４】同実施の形態のケーシングを示す平面図である。
【図５】同実施の形態のケーシングの要部を破綻した正面図である。
【図６】同実施の形態の容器部を示す断面図である。
【図７】同実施の形態の容器部を示す平面図である。
【図８】同実施の形態の蓋部を示す平面図である。
【図９】同実施の形態の容器本体を示す要部の断面図である。
【符号の説明】
【００５２】
１    薬剤揮散器
１１    ケーシング
１２    容器本体
２１    前壁面
４１    前部開口部
５３    粒状ゲル
９１    揮散孔
９２    揮散面
１０１    アルミシート
１０２    密閉空間
１１２    小穴
１１３    戻し穴
１２１    開口範囲
【図１】
0004818699.tif 000002
【図２】
0004818699.tif 000003
【図３】
0004818699.tif 000004
【図４】
0004818699.tif 000005
【図５】
0004818699.tif 000006
【図６】
0004818699.tif 000007
【図７】
0004818699.tif 000008
【図８】
0004818699.tif 000009
【図９】
0004818699.tif 000010